(57)【要約】  【課題】  無線タグを用いて容易に物品を管理することのできる物品管理装置を提供する。  【解決手段】    本体６０と付属品６１〜６７から成る一組として取扱われる複数の物品にそれぞれ添付される無線タグ１０１に書き込まれた情報を読み出して物品を管理する物品管理装置３１において、本体６０に添付される本体タグ１０１ａに書き込まれた全ての物品の情報と付属品６１〜６７に添付される付属タグ１０１ｂ〜１０１ｈに書き込まれた添付する付属品の情報及び本体６０の情報とを読み出す通信部５０と、本体タグ１０１ａから読み出した情報と付属タグ１０１ｂ〜１０１ｈから読み出した情報とを照合する制御部４０と、制御部４０の照合結果を報知する報知手段３３とを備えた。【選択図】      図１２
2005215959.tif 000002
【特許請求の範囲】
【請求項１】
一組として取扱われる複数の物品にそれぞれ添付される無線タグに書き込まれた情報を読み出して物品を管理する物品管理装置において、
第１物品に添付される第１無線タグに書き込まれた全ての物品の情報と、前記第１物品と関連した前記第１物品以外の物品に添付される第２無線タグに書き込まれた添付する物品の情報及び前記第１物品の情報とを読み出す通信部と、
前記第１無線タグから読み出した情報と前記第２無線タグから読み出した情報とを照合する制御部と、
前記制御部の照合結果を報知する報知手段と、
を備えたことを特徴とする物品管理装置。
【請求項２】
前記通信部により前記第１無線タグから読み出された全物品の情報に対して前記第２無線タグから読み出された情報が存在しない場合に、前記制御部は前記第１物品以外の物品の欠品を前記報知手段により報知させることを特徴とする請求項１に記載の物品管理装置。
【請求項３】
前記通信部により前記第１、第２無線タグから読み出された情報に対して、前記制御部は前記第１無線タグから読み出された情報を一物品毎に取り出して前記第２無線タグから読み出された情報と照合し、照合結果を一物品毎に順次前記報知手段により報知させることを特徴とする請求項１または請求項２に記載の物品管理装置。
【請求項４】
前記通信部により前記第１無線タグの情報が読み出されない場合に、前記制御部は前記第２無線タグから読み出された情報に基づいて、前記第１物品の欠品と前記第１物品の情報とを前記報知手段により報知させることを特徴とする請求項１〜請求項３のいずれかに記載の物品管理装置。
【請求項５】
前記通信部により前記第１無線タグを表わす識別情報が読み出されない場合に、前記制御部は前記第２無線タグから読み出された情報に基づいて、前記第１物品の欠品と前記第１物品の情報とを前記報知手段により報知させることを特徴とする請求項４に記載の物品管理装置。
【請求項６】
前記通信部により３以上の物品の情報が読み出される前記無線タグがない場合に、前記制御部は前記第２無線タグから読み出された情報に基づいて、前記第１物品の欠品と前記第１物品の情報とを前記報知手段により報知させることを特徴とする請求項４に記載の物品管理装置。
【請求項７】
前記第１無線タグから読み出した全物品の各情報に対応しない無線タグから読み出した情報がある場合に、前記制御部は混入品が存在することを前記報知手段により報知させることを特徴とする請求項１〜請求項６のいずれかに記載の物品管理装置。
【請求項８】
前記第１無線タグには各物品と互換性を有する物品の情報から成る互換情報が書き込まれ、前記通信部により前記第１無線タグから読み出された全物品の情報に対して前記第２無線タグから読み出された情報が存在せず、前記第１無線タグから読み出した各物品の互換情報に一致する前記第２無線タグから読み出した情報が存在する場合に、前記制御部は欠品ではなく互換品が存在すると判断することを特徴とする請求項１〜請求項７のいずれかに記載の物品管理装置。
【請求項９】
前記報知手段は照合結果を表示する表示部から成ることを特徴とする請求項１〜請求項８のいずれかに記載の物品管理装置。
【請求項１０】
前記制御部による照合結果として欠品が存在する場合に、前記第１無線タグまたは前記第２無線タグから読み出された欠品した物品の情報を前記表示部により表示することを特徴とする請求項９に記載の物品管理装置。
【請求項１１】
前記制御部による照合結果として混入品が存在する場合に、前記第２無線タグから読み出されたその物品の情報を前記表示部により表示することを特徴とする請求項８または請求項１０に記載の物品管理装置。
【請求項１２】
前記制御部による照合結果として互換品が存在する場合に、前記第２無線タグから読み出された互換品の情報を前記表示部により表示することを特徴とする請求項９〜請求項１１のいずれかに記載の物品管理装置。
【請求項１３】
前記第２無線タグには前記第１物品と互換性を有する物品の情報が書き込まれ、前記制御部による照合結果として前記第１物品が欠品した際に、前記第１物品及び前記第１物品と互換性を有する物品の情報を前記表示部により表示することを特徴とする請求項９〜請求項１２のいずれかに記載の物品管理装置。
【請求項１４】
一組として取扱われる複数の物品にそれぞれ添付される無線タグに所定情報を書き込み、各無線タグに書き込まれた情報を読み出して物品を管理する物品管理システムにおいて、
全ての物品の入力情報に基づいて、第１物品に添付するための第１無線タグに全ての物品の情報を書き込むとともに、第１物品以外の物品に添付するための第２無線タグには添付する物品の情報と第１物品の情報とを書き込む無線タグ作成装置と、
第１物品に添付される第１無線タグに書き込まれた全ての物品の情報と第１物品以外の物品に添付される第２無線タグに書き込まれた添付する物品の情報及び第１物品の情報とを読み出す通信部と、第１無線タグから読み出した情報と第２無線タグから読み出した情報とを照合する制御部と、前記制御部の照合結果を報知する報知手段とを有する物品管理装置と、
を備えたことを特徴とする物品管理システム。
【請求項１５】
前記無線タグ作成装置によって前記第１、第２無線タグにそれぞれ前記第１、第２無線タグを識別する識別情報が書き込まれることを特徴とする請求項１４に記載の物品管理システム。
【請求項１６】
前記無線タグ作成装置によって全物品の員数を示す情報が前記第１無線タグに書き込まれることを特徴とする請求項１４または請求項１５に記載の物品管理システム。
【請求項１７】
前記無線タグ作成装置は前記無線タグを一体化した媒体に印刷を行う印刷部を備えたことを特徴とする請求項１４〜請求項１６のいずれかに記載の物品管理システム。
【請求項１８】
前記通信部により前記第１無線タグから読み出された全物品の情報に対して前記第２無線タグから読み出された情報が存在しない場合に、前記制御部は前記第１物品以外の物品の欠品を前記報知手段により報知させることを特徴とする請求項１４〜請求項１７のいずれかに記載の物品管理システム。
【請求項１９】
前記通信部により前記第１無線タグの情報が読み出されない場合に、前記制御部は前記第２無線タグから読み出された情報に基づいて、前記第１物品の欠品と前記第１物品の情報とを前記報知手段により報知させることを特徴とする請求項１４〜請求項１８のいずれかに記載の物品管理システム。
【請求項２０】
一組として取扱われる複数の物品にそれぞれ添付される無線タグに所定情報を書き込み、各無線タグに書き込まれた情報を読み出して物品を管理する物品管理方法において、
全ての物品の情報が書き込まれた第１無線タグを添付した第１物品と、添付する物品の情報と前記第１物品の情報とが書き込まれた第２無線タグを添付した第１物品以外の物品に対して、前記第１無線タグに書き込まれた情報と、前記第２無線タグに書き込まれた情報とを一括して読み出し、その読み出した情報を照合して照合結果を報知することを特徴とする物品管理方法。
【発明の詳細な説明】
【技術分野】
【０００１】
本発明は、無線タグと通信して複数の物品を管理する物品管理装置、物品管理システム及び物品管理方法に関する。
【背景技術】
【０００２】
複数の物品を管理する物品管理システムは特許文献１に開示されている。この物品管理システムは一組として取扱われる複数の物品のそれぞれにＩＣカードを装着し、各ＩＣカードには順に並べられた各物品のＩＤ番号と、一つ前の物品のＩＤ番号とが記憶される。また、先頭の物品にはその物品のＩＤ番号と最後の物品のＩＤ番号とが記憶される。これにより、欠品が発生すると一つ前の物品または先頭の物品の記憶情報によって検出することができる。従って、一組の複数の物品を管理することができるようになっている。
【０００３】
一方、近年、ＲＦＩＤ（Radio Frequency Identification）と呼ばれる無線タグを用い、非接触で情報の送受信を行う自動認識システムが使用されている。無線タグはラベル状に形成して物品に添付することができる。
【特許文献１】特開２００２−８７５４１号公報（第３頁−第５頁、第１図）
【発明の開示】
【発明が解決しようとする課題】
【０００４】
上記従来の物品管理システムによると、欠品の有無を判別することができるが、どの物品が欠品しているかはデータベースや付属品を記載した本体の取扱説明書を参照しなければ知ることができない。このため、物品の管理が煩雑になる問題があった。
【０００５】
本発明は、無線タグを用いて容易に物品を管理することのできる物品管理装置、物品管理システム及び物品管理方法を提供することを目的とする。
【課題を解決するための手段】
【０００６】
上記目的を達成するために請求項１に係る発明の物品管理装置は、一組として取扱われる複数の物品にそれぞれ添付される無線タグに書き込まれた情報を読み出して物品を管理する物品管理装置において、第１物品に添付される第１無線タグに書き込まれた全ての物品の情報と、前記第１物品と関連した前記第１物品以外の物品に添付される第２無線タグに書き込まれた添付する物品の情報及び前記第１物品の情報とを読み出す通信部と、前記第１無線タグから読み出した情報と前記第２無線タグから読み出した情報とを照合する制御部と、前記制御部の照合結果を報知する報知手段とを備えたことを特徴としている。
【０００７】
この構成によると、例えば本体に添付される第１無線タグに本体の情報と全ての付属品の情報とが書き込まれ、付属品に添付される第２無線タグに本体の情報と添付される付属品の情報とが書き込まれる。通信部によって第１、第２無線タグから情報が読み出され、第１、第２無線タグに記憶された情報が照合される。照合の結果、例えば、本体及び全ての付属品が揃っている場合はその旨を報知手段により報知し、欠品があると欠品した物品が報知される。
【０００８】
また請求項２に係る発明は、上記構成の物品管理装置において、前記通信部により前記第１無線タグから読み出された全物品の情報に対して前記第２無線タグから読み出された情報が存在しない場合に、前記制御部は前記第１物品以外の物品の欠品を前記報知手段により報知させることを特徴としている。この構成によると、第１、第２無線タグに記憶された情報を照合して第１無線タグに書き込まれた付属品情報に対応する付属品が存在しない場合に報知手段によって該付属品の欠品を報知する。
【０００９】
また請求項３に係る発明は、上記構成の物品管理装置において、前記通信部により前記第１、第２無線タグから読み出された情報に対して、前記制御部は前記第１無線タグから読み出された情報を一物品毎に取り出して前記第２無線タグから読み出された情報と照合し、照合結果を一物品毎に順次前記報知手段により報知させることを特徴としている。
【００１０】
この構成によると、第１、第２無線タグから情報が読み出されて一時記憶され、第１無線タグに書き込まれた付属品情報を一物品毎に取り出してと第２無線タグに書き込まれた付属品情報と照合される。照合の結果、該物品が存在しないと報知手段によって欠品が報知される。続いて、次の第１無線タグに書き込まれた付属品情報を取り出して第２無線タグに書き込まれた付属品情報と照合して照合結果を報知し、この動作が繰り返される。
【００１１】
また請求項４に係る発明は、上記構成の物品管理装置において、前記通信部により前記第１無線タグの情報が読み出されない場合に、前記制御部は前記第２無線タグから読み出された情報に基づいて、前記第１物品の欠品と前記第１物品の情報とを前記報知手段により報知させることを特徴としている。この構成によると、第１無線タグの情報が読み出されないときは第２無線タグから第１物品の情報を取り出して第１物品が欠品であることと、第１物品の情報とが報知される。
【００１２】
また請求項５に係る発明は、上記構成の物品管理装置において、前記通信部により前記第１無線タグを表わす識別情報が読み出されない場合に、前記制御部は前記第２無線タグから読み出された情報に基づいて、前記第１物品の欠品と前記第１物品の情報とを前記報知手段により報知させることを特徴としている。この構成によると、第１無線タグには第１無線タグを表わす識別情報が記憶されており、識別情報が読み出されなかったときに第１物品が欠品と判断される。
【００１３】
また請求項６に係る発明は、上記構成の物品管理装置において、前記通信部により３以上の物品の情報が読み出される前記無線タグがない場合に、前記制御部は前記第２無線タグから読み出された情報に基づいて、前記第１物品の欠品と前記第１物品の情報とを前記報知手段により報知させることを特徴としている。この構成によると、第１無線タグには本体の情報と付属品の情報とが記憶され、３以上の物品の情報が記憶されている無線タグが第１無線タグと判断される。尚、第１無線タグに２物品の情報が記憶される場合は第１、第２無線タグの情報の一致等によって本体の欠品の有無を判別できる。
【００１４】
また請求項７に係る発明は、上記構成の物品管理装置において、前記第１無線タグから読み出した全物品の各情報に対応しない無線タグから読み出した情報がある場合に、前記制御部は混入品が存在することを前記報知手段により報知させることを特徴としている。この構成によると、第１無線タグに記憶された全物品以外の物品の情報が無線タグから読み出された際に混入品があることが報知される。
【００１５】
また請求項８に係る発明は、上記構成の物品管理装置において、前記第１無線タグには各物品と互換性を有する物品の情報から成る互換情報が書き込まれ、前記通信部により前記第１無線タグから読み出された全物品の情報に対して前記第２無線タグから読み出された情報が存在せず、前記第１無線タグから読み出した各物品の互換情報に一致する第２無線タグから読み出した情報が存在する場合に、前記制御部は欠品ではなく互換品が存在すると判断することを特徴としている。
【００１６】
この構成によると、第１無線タグには付属品と互換性のある互換品を特定する互換情報が記憶される。第１無線タグに記憶された情報と第２無線タグに記憶された情報が照合され、付属品が欠品の際に第２無線タグから読み出した情報が互換情報に一致すると互換品により欠品ではなく互換品があると判断して欠品がないことや互換品により補填されていることが報知される。
【００１７】
また請求項９に係る発明は、上記構成の物品管理装置において、前記報知手段は照合結果を表示する表示部から成ることを特徴としている。
【００１８】
また請求項１０に係る発明は、上記構成の物品管理装置において、前記制御部による照合結果として欠品が存在する場合に、前記第１無線タグまたは前記第２無線タグから読み出された欠品した物品の情報を前記表示部により表示することを特徴としている。この構成によると、欠品した物品の名称等が表示部に表示される。
【００１９】
また請求項１１に係る発明は、上記構成の物品管理装置において、前記制御部による照合結果として混入品が存在する場合に、前記第２無線タグから読み出されたその物品の情報を前記表示部により表示することを特徴としている。この構成によると、混入品の名称等が表示部に表示される。
【００２０】
また請求項１２に係る発明は、上記構成の物品管理装置において、前記制御部による照合結果として互換品が存在する場合に、前記第２無線タグから読み出された互換品の情報を前記表示部により表示することを特徴としている。この構成によると、欠品を補填する互換品の名称等が表示部に表示される。
【００２１】
また請求項１３に係る発明は、上記構成の物品管理装置において、前記第２無線タグには前記第１物品と互換性を有する物品の情報が書き込まれ、前記制御部による照合結果として前記第１物品が欠品した際に、前記第１物品及び前記第１物品と互換性を有する物品の情報を前記表示部により表示することを特徴としている。この構成によると、第１物品の欠品時に第２無線タグから読み出した第１物品の情報と、第１物品と互換性を有する物品の情報とが取り出され、表示部に表示される。
【００２２】
また請求項１４に係る発明の物品管理システムは、一組として取扱われる複数の物品にそれぞれ添付される無線タグに所定情報を書き込み、各無線タグに書き込まれた情報を読み出して物品を管理する物品管理システムにおいて、全ての物品の入力情報に基づいて、第１物品に添付するための第１無線タグに全ての物品の情報を書き込むとともに、第１物品以外の物品に添付するための第２無線タグには添付する物品の情報と第１物品の情報とを書き込む無線タグ作成装置と、第１物品に添付される第１無線タグに書き込まれた全ての物品の情報と、第１物品以外の物品に添付される第２無線タグに書き込まれた添付する物品の情報及び第１物品の情報とを読み出す通信部と、第１無線タグから読み出した情報と第２無線タグから読み出した情報とを照合する制御部と、前記制御部の照合結果を報知する報知手段とを有する物品管理装置とを備えたことを特徴としている。
【００２３】
この構成によると、無線タグ作成装置によって例えば本体に添付される第１無線タグに本体の情報と全ての付属品の情報とが書き込まれ、付属品に添付される第２無線タグに本体の情報と添付される付属品の情報とが書き込まれる。物品管理装置は通信部によって第１、第２無線タグから情報を読み出し、制御部により第１、第２無線タグに記憶された情報が照合される。照合の結果、例えば、本体及び全ての付属品が揃っている場合はその旨を報知手段により報知し、欠品があると欠品した物品が報知される。
【００２４】
また請求項１５に係る発明は、上記構成の物品管理システムにおいて、前記無線タグ作成装置によって前記第１、第２無線タグにそれぞれ前記第１、第２無線タグを識別する識別情報が書き込まれることを特徴としている。この構成によると、物品管理装置によって識別情報を検知して第１物品の有無が判別される。
【００２５】
また請求項１６に係る発明は、上記構成の物品管理システムにおいて、前記無線タグ作成装置によって全物品の員数を示す情報が前記第１無線タグに書き込まれることを特徴としている。この構成によると、物品管理装置によって員数を示す情報を検知して欠品の有無が判別される。
【００２６】
また請求項１７に係る発明は、上記構成の物品管理システムにおいて、前記無線タグ作成装置は前記無線タグを一体化した媒体に印刷を行う印刷部を備えたことを特徴としている。この構成によると、ラベル状等に形成された媒体に物品名等が印刷され、媒体と一体の無線タグに物品の情報が記憶される。
【００２７】
また請求項１８に係る発明は、上記構成の物品管理システムにおいて、前記通信部により前記第１無線タグから読み出された全物品の情報に対して前記第２無線タグから読み出された情報が存在しない場合に、前記制御部は前記第１物品以外の物品の欠品を前記報知手段により報知させることを特徴としている。
【００２８】
また請求項１９に係る発明は、上記構成の物品管理システムにおいて、前記通信部により前記第１無線タグの情報が読み出されない場合に、前記制御部は前記第２無線タグから読み出された情報に基づいて、前記第１物品の欠品と前記第１物品の情報とを前記報知手段により報知させることを特徴としている。
【００２９】
また請求項２０に係る発明の物品管理方法は、一組として取扱われる複数の物品にそれぞれ添付される無線タグに所定情報を書き込み、各無線タグに書き込まれた情報を読み出して物品を管理する物品管理方法において、全ての物品の情報が書き込まれた第１無線タグを添付した第１物品と、添付する物品の情報と前記第１物品の情報とが書き込まれた第２無線タグを添付した第１物品以外の物品に対して、前記第１無線タグに書き込まれた情報と、前記第２無線タグに書き込まれた情報とを一括して読み出し、その読み出した情報を照合して照合結果を報知することを特徴としている。
【発明の効果】
【００３０】
請求項１に係る発明によると、例えば本体に添付される第１無線タグに本体の情報と全ての付属品の情報とが書き込まれるとともに、付属品に添付される第２無線タグに本体の情報と添付される付属品の情報とが書き込まれ、第１無線タグから読み出した情報と第２無線タグから読み出した情報とを照合して照合結果を報知するので、第２無線タグに記憶された情報により第１物品の欠品を容易に判別できるとともに、第１無線タグに記憶された情報により第１物品以外の付属品等の欠品を容易に判別して簡単に物品管理することができる。
【００３１】
また請求項２に係る発明によると、第１無線タグから読み出された全物品の情報に対して第２無線タグから読み出された情報が存在しない場合に第１物品以外の物品の欠品を報知するので、第１物品以外の物品の欠品を容易に判別して簡単に物品管理することができる。
【００３２】
また請求項３に係る発明によると、第１無線タグから読み出された情報を一物品毎に取り出して第２無線タグから読み出された情報と照合し、照合結果を一物品毎に順次報知するので、どの物品が欠品しているかを容易に認識することができる。
【００３３】
また請求項４に係る発明によると、第１無線タグの情報が読み出されない場合に、第２無線タグから読み出された情報に基づいて第１物品の欠品と第１物品の情報とを報知するので、第１物品の欠品を容易に判別して簡単に物品管理することができる。
【００３４】
また請求項５に係る発明によると、第１無線タグの識別情報が読み出されなかったときに第１物品が欠品と判断されるので、第１物品の欠品を迅速に判別することができる。
【００３５】
また請求項６に係る発明によると、３以上の物品の情報が記憶されている無線タグがない場合に第１無線タグが欠品と判断されるので、第１物品の欠品を容易に判別することができる。
【００３６】
また請求項７に係る発明によると、第１無線タグから読み出した全物品の各情報に対応しない第２無線タグから読み出した情報がある場合に、混入品の存在を報知するので、混入品を容易に検出して認識させることができる。
【００３７】
また請求項８に係る発明によると、第１無線タグから読み出された全物品の情報に対して第２無線タグから読み出された情報が存在せず、第１無線タグから読み出した各物品の互換情報に一致する第２無線タグから読み出した情報が存在する場合に、欠品ではなく互換品が存在すると判断するので、互換品により欠品が補充されている場合に異常のないことを容易に管理することができる。
【００３８】
また請求項９に係る発明によると、報知手段は照合結果を表示する表示部から成るので、使用者は照合結果を容易に認識することができる。
【００３９】
また請求項１０に係る発明によると、照合結果として欠品が存在する場合に、第１無線タグまたは第２無線タグから読み出された欠品した物品の情報を表示部により表示するので、使用者は欠品の情報を容易に認識することができる。
【００４０】
また請求項１１に係る発明によると、照合結果として混入品が存在する場合に、第２無線タグから読み出されたその物品の情報を表示部により表示するので、使用者は混入品の情報を容易に認識することができる。
【００４１】
また請求項１２に係る発明によると、照合結果として互換品が存在する場合に、第２無線タグから読み出された互換品の情報を表示部により表示するので、使用者は互換品の情報を容易に認識することができる。
【００４２】
また請求項１３に係る発明によると、照合結果として第１物品が欠品した際に、前記第１物品及び前記第１物品と互換性を有する物品の情報を前記表示部により表示する
【００４３】
また請求項１４に係る発明によると、無線タグ作成装置によって第１無線タグに全ての物品の情報を書き込むとともに第２無線タグに第１物品と添付される物品の情報とを書き込み、物品管理装置により第１、第２無線タグから情報を読み出して照合し、照合結果を報知するので、どの物品が欠品であるかを容易に判別して簡単に物品管理することができる。
【００４４】
また請求項１５に係る発明によると、無線タグ作成装置によって第１、第２無線タグにそれぞれ第１、第２無線タグを識別する識別情報が書き込まれるので、識別情報の検出によって第１物品の有無を迅速に判別することができる。
【００４５】
また請求項１６に係る発明によると、無線タグ作成装置によって全物品の員数を示す情報が第１無線タグに書き込まれるので、員数を示す情報と検出した無線タグの数量との比較によって欠品の有無を容易に判別することができる。
【００４６】
また請求項１７に係る発明によると、無線タグ作成装置は無線タグを一体化した媒体に印刷を行う印刷部を備えるので、媒体に物品名等の情報を印刷することによって使用者が容易に視認できるラベルを作成することができる。
【００４７】
また請求項１８に係る発明によると、第１無線タグから読み出された全物品の情報に対して第２無線タグから読み出された情報が存在しない場合に、第１物品以外の物品の欠品を報知するので、第１物品以外の物品の欠品を容易に判別して簡単に物品管理することができる。
【００４８】
また請求項１９に係る発明によると、第１無線タグの情報が読み出されない場合に第１物品の欠品を報知するので、第１物品の欠品を容易に判別して簡単に物品管理することができる。
【００４９】
また請求項２０に係る発明によると、全ての物品の情報が書き込まれた第１無線タグを添付した第１物品と、添付する物品の情報と第１物品の情報とが書き込まれた第２無線タグを添付した第１物品以外の物品に対して、第１無線タグに書き込まれた情報と、第２無線タグに書き込まれた情報とを一括して読み出し、その読み出した情報を照合して照合結果を報知するので、物品の欠品を容易に判別して簡単に物品管理することができる。
【発明を実施するための最良の形態】
【００５０】
以下に本発明の実施形態を図面を参照して説明する。図１は第１実施形態の物品管理システムを構成する無線タグ作成装置を示すブロック図である。物品管理システムは無線タグ作成装置１及び物品管理装置３１（図１３、図１４参照）から成っている。
【００５１】
無線タグ作成装置１はテープ２２を収納したカートリッジ２０が装着される。そして、テープ２２に配設された無線タグ回路１０８（図３参照）に情報を書き込むとともに、テープ２２に印刷した後に所定間隔で切断してラベル状の無線タグ１０１（図３、図４参照）を形成する。
【００５２】
図３（ａ）、図３（ｂ）はラベル状に切断された無線タグを示す上面図及び下面図である。また、図４は図３（ａ）のＢ−Ｂ断面図である。無線タグ１０１は印刷を行うカバーフィルム１０２と、無線タグ回路１０８を有する４層構造の積層体１０３とから成る５層構造になっている。
【００５３】
カバーフィルム１０２は印字１０２ａ（この例では無線タグ１０１の種類を示す「測定器Ａ」の文字）が裏面に印刷される。積層体１０３はカバーフィルム１０２側から順に接着層１０４、ベースフィルム１０５、粘着層１０６、剥離紙１０７を有している。ＩＣ回路部１０９及びアンテナ１１０から成る無線タグ回路１０８はベースフィルム１０５の裏面に設けられている。
【００５４】
無線タグ作成装置１は各部を制御する制御回路２を有している。図２に示すように、制御回路２はＣＰＵ８１、ＲＯＭ８２、ＲＡＭ８３、Ｉ／Ｏ８４を備えている。ＣＰＵ８１によって制御回路２による制御動作が行われる。ＲＯＭ８２はＣＰＵ８１によって動作されるプログラムを格納する。ＲＡＭ８３はプログラムによる演算の一時記憶を行う。Ｉ／Ｏ８４は各種回路が接続される。
【００５５】
制御回路２には、カートリッジ駆動回路３、送出ローラ駆動回路６、印刷駆動回路５、高周波回路９、信号処理回路１１、ソレノイド１２、入力部１６、センサ１７及びインターフェース回路１８が接続されている。カートリッジ駆動回路３は、カートリッジ用のパルスモータ４を駆動してカートリッジ２０からテープ２２を送出する。送出ローラ駆動回路６は送出ローラ１５を回転させるパルスモータ７を駆動して、テープ２２を矢印Ａで示す方向に送出する。
【００５６】
印刷駆動回路５はカートリッジ２０内のテープ２２に対向配置されるサーマルヘッド２４を駆動してテープ２２の印刷を行う。従って、印刷駆動回路５及びサーマルヘッド２４によってテープ２２に印刷を行う印刷部が構成されている。高周波回路９はアンテナ部１０を介して無線タグ１０１に情報を書き込む。信号処理回路１１は無線タグ１０１から読み出された信号を処理して情報を読み出す。
【００５７】
ソレノイド１２はカッタ１３を駆動してテープ２２を所定の長さで切断する。従って、カートリッジ駆動回路３、パルスモータ４、送出ローラ駆動回路６、送出ローラ１５、ソレノイド１２、カッタ１３によってテープ送りして所定長さの切断されたテープを連続して作成するテープ作成手段が構成されている。
【００５８】
入力部１６はテープ２２に印字する印字情報や無線タグ１０１に書き込む書込情報を入力する。センサ１７は搬出口８におけるテープ２２の有無を検出する。インターフェース回路１８はパーソナルコンピュータ等の外部機器との接続を可能にし、外部機器によって外部からテープ２２に印字する印字情報や無線タグ１０１に書き込む書込情報を入力することも可能になっている。尚、カッタ１３と搬出口８との間にはテープを搬出口８に案内する搬送ガイド１４が設けられている。
【００５９】
図５（ａ）は、ベースフィルム１０５の裏面に所定間隔で配設された無線タグ回路１０８の一般的な構成を示すブロック図である。無線タグ回路１０８はコイルアンテナ１１０を有し、外部と通信可能になっている。周波数として１３ＭＨｚ帯、１２．５ＭＨｚ帯が用いられる。コイルアンテナ１１０には復号化回路１１２及び符号化回路１１３が接続されている。復号化回路１１２及び符号化回路１１３は交信制御部１１４の制御によって送受信したデータの復号化及び符号化を行う。
【００６０】
また、無線タグ１０１は交信制御部１１４に制御されるメモリ１１６を有し、復号化したデータの格納を行う。格納されたデータは交信制御部１１４により取り出され、符号化して送信可能になっている。メモリ１１６はＥＥＰＲＯＭ等の不揮発性メモリで構成され、メモリ１１６に格納されたデータの内容を保持することができる。
【００６１】
尚、コイルアンテナ１１０を介して受信した電力は電源部１１１に蓄えられ、符号化回路１１３、複合化回路１１２、交信制御部１１４、メモリ１１６に供給される。更に高い交信周波数として９００ＭＨｚ帯や２．４５ＧＨｚ帯を用いる場合は、図５（ｂ）に示すようにダイポールアンテナ１１８とダイオード等を用いた変復調回路１１５を介して通信を行う。
【００６２】
上記構成の無線タグ作成装置１の動作を図６のフローチャートを参照して説明する。ステップ＃１１ではインターフェース回路１８に接続されたパーソナルコンピュータ等や入力部１６の操作によりテープ２２に印字する印字情報が入力される。図７は印字情報の例を示しており、本体（第１物品）６０の物品名「測定器Ａ」及び本体６０に付属する付属品６１〜６７の物品名が入力される。本例では物品名を入力しているが、各物品を特定する情報であればよい。
【００６３】
ステップ＃１２では印字のみを行う通常印字か、印字に加えてテープ２２に配設された無線タグ１０１に情報の書込みを行うかが判別される。通常印字でない場合はステップ＃１３に移行する。ステップ＃１３では無線タグ１０１に書き込まれる書込情報が作成される。図８は書込情報の例を示している。同図において各物品（６０〜６７）の印字情報と同じ情報に加えてＩＤ番号が付加される。日付や管理者等のその他の情報を作成して付加してもよい。
【００６４】
ステップ＃１４では印字情報が無線タグ作成装置１に転送され、制御回路２のＲＡＭ８２に記憶される。ステップ＃１５では書込情報が無線タグ作成装置１に転送され、ＲＡＭ８２に記憶される。ステップ＃１６では無線タグ作成装置１の制御回路２によってＲＡＭ８２から先頭の印字情報が読み出される。ステップ＃１７では制御回路２によってカートリッジ駆動回路３及び印刷駆動回路５を制御して印字情報がテープ２２に印刷される。
【００６５】
ステップ＃１８では取り出された印字情報が最初の物品の印字情報か否かが判断される。最初の印字情報の場合は本体（第１物品）６０に添付される無線タグ（以下、「本体タグ（第１無線タグ１０１ａ）」という）を作成すると判断してステップ＃１９に移行する。ステップ＃１９では全物品（６０〜６７）の書込情報がＲＡＭ８２から読み出される。
【００６６】
ステップ＃２０では制御回路２によって信号処理回路１１及び高周波回路９を制御して符号化された書込情報がアンテナ部１０から送信される。これにより、全物品（６０〜６７）の書込情報が本体タグ１０１ａ（図１２参照）のメモリ１１６に書き込まれる。ステップ＃２１では本体６０を特定できる本体６０の書込情報がＲＡＭ８２から読み出される。ステップ＃２２では本体６０の書込情報がＲＡＭ８２の所定のアドレスに記憶される。これにより、本体６０の書込情報をいつでも取り出すことができるようになっている。
【００６７】
ステップ＃２３では制御回路２によって送出ローラ駆動回路６を制御し、送出ローラ１５の回転によってテープ２２の送りが行われる。ステップ＃２４では制御回路２によってソレノイド１２を制御し、カッタ１３によってテープが所定位置で切断される。これにより本体タグ１０１ａの作成が完了する。図９は作成された本体タグ１０１ａの印刷結果及び書込情報を示している。本体タグ１０１ａは本体を示す「測定器Ａ」と印刷されたラベル状に形成され、メモリ１１６に全物品（６０〜６７）の書込情報が記憶される。
【００６８】
ステップ＃２５ではＲＡＭに読み出された印字情報が最後の物品の印字情報か否かが判断される。最後の物品の印字情報でない場合はステップ＃２６でＲＡＭ上８２の次のデータのアドレスに移行してステップ＃１６で次の印字情報が読み出される。上記と同様にステップ＃１７では印字情報がテープ２２に印刷される。これにより、付属品６１〜６７の物品名が印刷される。ステップ＃１８の判断で最初の物品の印字情報ではない場合は付属品６１〜６７に添付される無線タグ（以下、「付属タグ（第２無線タグ）」という）を作成すると判断してステップ＃３１に移行する。
【００６９】
ステップ＃３１では、ステップ２２で記憶した本体６０の書込情報がＲＡＭ８２から読み出される。ステップ＃３２では制御回路２によって信号処理回路１１及び高周波回路９を制御して符号化された本体６０の書込情報がアンテナ部１０から送信される。ステップ＃３３では印刷情報を印刷した現在着目している付属品（以下、「現物品」という）、この場合はＡアダプタ（６１）の書込情報がＲＡＭ８２から読み出される。ステップ＃３４では制御回路２によって信号処理回路１１及び高周波回路９を制御して符号化された現物品の書込情報がアンテナ部１０から送信される。これにより、本体６０及び現物品（６１）の書込情報が付属タグ１０１ｂ（図１２参照）のメモリ１１６に書き込まれる。
【００７０】
次に、ステップ＃２３に移行して上記と同様にステップ＃２３〜＃２６が行われる。印字情報が最後になるまでステップ＃１６〜＃１８、＃３１〜＃３４、＃２３〜＃２６が繰り返し行われて付属タグ１０１ｂ〜１０１ｈが付属品の数量だけ作成される。そして、ステップ＃２５の判断によって印字情報が最後になると終了する。
【００７１】
図１０、図１１は作成された付属タグ１０１ｂ及び１０１ｅの印刷結果及び書込情報の例を示している。付属タグ１０１ｂ、１０１ｅは付属品を示す「Ａアダプタ」や「Ａケーブル１」と印刷されたラベル状に形成され、メモリ１１６に本体の書込情報とそれぞれ各付属品の書込情報が記憶される。他の付属タグについても同様である。
【００７２】
また、ステップ＃１２の判断において、無線タグ１０１に情報の書込みを行わない通常印字の場合はステップ＃４１に移行して印字情報が無線タグ作成装置１に転送される。ステップ＃４２では印刷処理が行われる。印刷処理は上記と同様であるので詳細を省略するが、印字情報を先頭から順次読み出してテープ２２に印刷を行う。そして、印字情報が最後になると終了する。
【００７３】
以上の動作によって本体タグ１０１ａと一または複数の付属タグ１０１ｂ〜１０１ｈとが作成され、図１２に示すように一組として取扱われる複数の物品に添付される。本実施形態では本体タグ１０１ａは測定器Ａに貼着される。付属タグ１０１ｂ〜１０１ｈはそれぞれ印刷結果に対応してＡアダプタ（６１）、Ａカード１（６２）、Ａカード２（６３）、Ａケーブル１（６４）、Ａケーブル２（６５）、Ａコード（６６）、Ａ取扱説明書（６７）に貼着される。
【００７４】
尚、図６のステップ＃１７において、本体タグ１０１ａに対して印字する場合には太字等により強調して印字してもよい。これにより、本体タグ１０１ａが貼着された物品が本体６０であることを容易に視認することができる。
【００７５】
次に本実施形態の物品管理システムを構成する物品管理装置の本体タグ１０１ａ及び付属タグ１０１ｂ〜１０１ｈによる物品管理について説明する。図１３は無線タグ１０１と通信を行って物品を管理する物品管理装置３１の外観を示す斜視図である。物品管理装置３１は使用者が手に持って操作し、上面に操作部３２及び表示部３３（報知手段）が設けられるとともに前面に無線タグ１０１と通信するアンテナ５７が配置される。
【００７６】
操作部３２は複数の操作キーから成り、ユーザ操作を行う。表示部３３はＬＣＤから成り操作状況や無線タグ１０１との通信結果を表示する。表示部３３をＣＲＴや有機ＥＬ等により構成してもよい。また、操作部３２を表示部３３上で操作するタッチパネルにしてもよい。
【００７７】
図１４は物品管理装置３１の構成を示すブロック図である。物品管理装置３１は制御部４０及び高周波部５０（通信部）を備えている。制御部４０はＣＰＵ４３を有し、物品管理装置３１の各部を制御する。ＣＰＵ４３にはバスライン４５を介してＲＯＭ４１、ＲＡＭ４２、ＬＣＤドライバ４４、Ｉ／Ｏ部４４、インタフェース回路４６が接続されている。
【００７８】
ＲＯＭ４１はＣＰＵ４３により動作するプログラムを格納する。ＲＡＭ４２はＣＰＵ４３による演算の一次記憶を行う。ＬＣＤドライバ４４は表示部３３に接続され、表示部３３を駆動する。Ｉ／Ｏ部４４は操作部３２に接続され、操作部３２の操作信号を受け取ってＣＰＵ４３に伝達する。インターフェース回路４６は高周波部５０との接続を行って信号をやり取りする。
【００７９】
高周波部５０にはアンテナ５７に接続されるサーキュレータ５６が設けられ、サーキュレータ５７により情報の送受信が行われる。サーキュレータ５７とインターフェース回路４６との間には電力増幅器５５及び変調器５２が設けられ、変調器５２には発振器５３が接続される。
【００８０】
変調器５２は発振器５３により発信される高周波信号（９００ＭＨｚ帯や２．４５ＧＨｚ帯）に基づいてインターフェース回路４６を介して入力される情報を変調する。電力増幅器５５は変調器５２で変調された信号を増幅する。これにより、ＲＡＭ４２から取り出される情報はインターフェース回路４６を介して変調器５２で高周波信号を変調し、電力増幅器５５で増幅してサーキュレータ５６により送信される。
【００８１】
また、サーキュレータ５６とインターフェース回路４６との間には復調器５４及び復号器５１が設けられ、復調器５４には発振器５３が接続される。復調器５４は発振器５３により発振される高周波信号に基づいてアンテナ５７を介して入力される信号を復調する。復号器５１は復調器５４で復調された信号を復号する。これにより、アンテナ５７を介して無線タグ１０１から受信した信号は復調器５４で復調後復号器５１で復号され、インターフェース回路４６を介して制御部４０により情報が操作される。
【００８２】
上記構成の物品管理装置３１において、操作部３２を操作すると制御部４０によって図１５のフローチャートが実行される。ステップ＃５１では複数の物品の無線タグ１０１を一括して読み出す一括読出しを行うか個別に一つづつ読み出す個別読出しを行うかが判断される。一括読出しの場合はステップ＃５２に移行する。
【００８３】
ステップ＃５２では、各物品に添付された無線タグ１０１と通信を行って無線タグ１０１のメモリ１１６に記憶された書込情報が読み出される。そして、読み出した書込情報が物品管理装置３１のＲＡＭ４２に格納される。ステップ＃５３では全物品の無線タグ１０１の書込情報を読み出したか否かが判別される。全物品の無線タグ１０１から書込情報を読み出していない場合はステップ＃５２に戻り、順次無線タグ１０１に記憶された書込情報が読み出されてＲＡＭ４２に格納される。
【００８４】
全物品の無線タグ１０１から書込情報を読み出した場合はステップ＃５４に移行して、本体タグ１０１ａの有無が判別される。本体タグ１０１ａの有無は、前述の図９に示すように、書込情報に３個以上の物品が有るか否かにより判別することができる。尚、読出しを行った全物品数が２個の場合には、両者から読み出した書込情報が一致したときに一方を本体タグ１０１ａの書込情報と判断することができる。
【００８５】
本体タグ１０１ａがない場合はステップ＃７５に移行して付属タグ１０１ｂ〜１０１ｈのいずれかの先頭の書込情報から本体（第１物品）６０表す書込情報（以下、「本体情報」という）を取得する。ステップ＃７６では、図１７に示すように、本体６０がないことを示す「本体がありません」の文字と、本体６０の印字情報である「測定器Ａ」の文字が表示部３３に表示され、使用者に報知される。そして、プログラムを終了する。これにより、使用者は本体６０の欠品を認識して対処することができる。
【００８６】
ステップ＃５４の判断により本体タグ１０１ａがある場合は、ステップ＃５５に移行する。ステップ＃５５では本体タグ１０１ａの書込情報から１つ目の付属品を表わす書込情報（以下、「付属品情報」という）が取得される。ステップ＃５６は取得した付属品情報と各付属品６１〜６７から取り出した書込情報とを照合して、付属品情報と一致する付属タグ１０１ｂ〜１０１ｈがあるか否かが判断される。
【００８７】
付属品情報と一致する付属タグ１０１ｂ〜１０１ｈがない場合はステップ＃５８に移行する。ステップ＃５８では図１８に示すように、照合した付属品の印字情報と、付属品がないことを示す「欠品」の文字とが表示部３３に表示され、使用者に報知される。そしてステップ＃５９に移行する。ステップ＃５６の判断により付属タグ１０１ｂ〜１０１ｈのいずれかが付属品情報と一致する場合はステップ＃５７に移行し、ＲＡＭ４２から照合した付属品情報を消去する。そして、ステップ＃５９に移行する。
【００８８】
ステップ＃５９では本体タグ１０１ａの書込情報から取得している付属品情報が最後の付属品情報か否かが判断される。最後の付属品情報でない場合はステップ＃６０でＲＡＭ４２上の次のデータのアドレスに移行してステップ＃５５で次の付属品情報が読み出される。そして、ステップ＃５５〜＃６０が繰り返し行われ、最後の付属品情報を照合が終了するとステップ＃６１に移行する。
【００８９】
この時、欠品がある場合はステップ＃５８において図１８に示すように、照合した付属品の印字情報と、付属品がないことを示す「欠品」の文字とが順次表示部３３に追加して表示される。尚、各付属品６１〜６７が存在したときに表示部３３にその旨や存在した付属品の印字情報等を順次表示してもよい。
【００９０】
ステップ＃６１では表示部３３に欠品を表示する欠品情報があるか否かが判断される。欠品情報がある場合はステップ＃６３に移行する。欠品情報がない場合はステップ＃６２で、図１９に示すように、全品揃っていることを示す「付属品全数あり」の文字が表示部３３に表示され、使用者に報知される。ステップ＃６３では他に読み出した無線タグの情報がメモリ４２に残っているか否かが判断される。
【００９１】
他に読み出した無線タグの情報がメモリ４２に残っていない場合はプログラムを終了する。他に読み出した無線タグの情報がメモリ４２に残っている場合はステップ＃６４に移行する。ステップ＃６４では図２０または図２１に示すように、本体６０と付属品６１〜６７以外の混入品が含まれていることを示す「非付属品混入品」の文字と、混入品の無線タグ１０１の書込情報が表示部３３に表示される。そして、プログラムを終了する。
【００９２】
次に、ステップ＃５１において、個別読出しと判断した場合は図１６に示す個別読出し処理が呼び出される。個別読出し処理のステップ＃８１では制御部４０によって電力増幅器のゲインを低下させて一括読出しの場合よりも通信の出力が低下され、近距離の通信を行う。ステップ＃８２では操作部３２の操作によって無線タグ１０１に記憶された情報を読み出す指示があったか否かが判別される。
【００９３】
操作部３２による読出しの指示がない場合はステップ＃８４に移行し、指示があるとステップ＃８３に移行する。ステップ＃８３では物品管理装置３１を近づけた物品に添付された無線タグ１０１と通信を行って無線タグ１０１のメモリ１１６に記憶された書込情報が読み出される。そして、読み出した書込情報が物品管理装置３１のＲＡＭ４２に格納される。
【００９４】
ステップ＃８４では操作部３２の操作によって読出しの完了の指示があったか否かが判断される。読出しの完了の指示がない場合はステップ＃８２に戻ってステップ＃８２、＃８３が繰り返し行われる。これにより、操作部３２の読出し指示の操作によって順次無線タグ１０１に記憶された書込情報が読み出されてＲＡＭ４２に格納される。操作部３２の操作によって読出しの完了の指示があった場合は図１５のフローチャートのステップ＃５４に移行する。
【００９５】
これにより、全物品の無線タグ１０１から書込情報の読み出しが行われる。物品管理装置３１の通信範囲内に一組として取扱われる物品以外の混入品が多く含まれているような場合に個別読出しを行うことによって表示部３３に表示される照合結果をわかりやすくすることができる。
【００９６】
本実施形態によると、本体タグ１０１ａ（第１無線タグ）に全物品を特定する情報を書き込み、付属タグ１０１ｂ〜１０１ｈ（第２無線タグ）に本体６０（第１物品）を特定する情報と添付する付属品６１〜６７を特定する情報とを書き込むので、どの物品が欠品しているかを容易に判別することができる。従って、一組として取扱われる複数の物品の管理を簡単にすることができる。
【００９７】
尚、本体タグ１０１ａの書込情報から全物品数を検知し、読出しを行った無線タグ１０１の数と比較して、従来例のように欠品の有無だけを報知してもよい。
【００９８】
また、無線タグ１０１を配設したテープ２２に印字情報を印刷するので、各物品にテープ２２を貼着することによって物品名等を容易に視認することができるとともに、連続して容易に無線タグ１０１に情報を書き込むことができる。尚、無線タグ１０１を配設したテープ２２に印刷を行っているが、無線タグ１０１をラベル状のカットシート等の媒体に配設し、該媒体に印刷するとともに無線タグ１０１に情報を書き込んでもよい。
【００９９】
次に、第２実施形態の物品管理システムについて説明する。本実施形態の物品管理システムを構成する無線タグ作成装置は前述の図１に示す第１実施形態と同様に構成され、パーソナルコンピュータ等や入力部１６の操作により本体及び付属品と互換性のある物品を特定する情報（以下、「互換情報」という）、本体と付属品とを識別する識別情報及び全物品の員数の情報を入力できるようになっている。その他の部分は第１実施形態と同様である。
【０１００】
前述の図６のフローチャートのステップ＃１１において、インターフェース回路１８に接続されたパーソナルコンピュータ等や入力部１６の操作によりテープ２２に印字する印字情報及び互換情報が入力される。図２２は印字情報及び互換情報の例を示しており、本体６０（第１物品）の物品名「測定器Ａ」と測定器Ａと互換性のある互換品の物品名「測定器Ｄ」が入力される。また、本体に付属する付属品の物品名と、該付属品の互換品の物品名が入力される。本例では互換情報は物品名から成っているが、互換品を特定する情報であればよい。
【０１０１】
また、ステップ＃１３では全物品（６０〜６７）の印字情報と互換情報から成る書込情報が作成される。尚、互換情報を予め入力してデータベースとして記憶しておき、全物品（６０〜６７）の印字情報を入力した際にデータベースと照合して全物品の印字情報に互換情報を付加して書込情報を作成してもよい。
【０１０２】
図２３は本体タグ１０１ａの印刷結果及びステップ＃２０で本体タグ１０１ａに書き込まれる書込情報の例を示している。同図において各物品の印字情報と同じ情報及びＩＤ番号に加えて互換情報が付加される。また、本体タグ１０１ａを表わす識別情報「Ｍ」が付加され、付属品６１〜６７の員数を示す情報である「７」が付加される。
【０１０３】
また、図２４、図２５は付属タグ１０１ｂ及び１０１ｅの印刷結果及びステップ＃３２、＃３４で付属タグ１０１ｂ及び１０１ｅに書き込まれる書込情報の例を示している。同図において各物品（６１、６４）の印字情報と同じ情報、ＩＤ番号に加えて互換情報が付加される。また、付属タグ１０１ｂを表わす識別情報「Ｓ」が付加される。尚、「１」「４」は付属品に順に付加される連番である。
【０１０４】
上記のように互換情報や識別情報が書き込まれた本体タグ１０１ａ及び付属タグ１０１ｂ〜１０１ｈが添付された物品を管理する物品管理装置３１の動作を前述の図１５のフローチャートを参照して説明する。尚、第１実施形態と同じ動作の工程は説明を省略する。ステップ＃５４では、本体タグ１０１ａの有無を識別情報である「Ｍ」（図２３参照）によって判別する。これにより、本体タグ１０１ａの識別情報を検出したか否かを判別するだけで本体タグ１０１ａの有無を迅速に判別することができる。
【０１０５】
ステップ＃５６では、本体タグ１０１ａに記憶された付属品６１〜６７の印字情報と、各付属タグ１０１ｂ〜１０１ｈから取り出した書込情報とを照合して、一致する付属タグ１０１ｂ〜１０１ｈがあるか否かを判断する。更に、一致する付属タグ１０１ｂ〜１０１ｈがない場合には、本体タグ１０１ａに記憶された付属品の互換情報と、各付属タグ１０１ｂ〜１０１ｈから取り出した書込情報とを照合して互換情報と一致する付属タグ１０１ｂ〜１０１ｈがあるか否かを判断する。これにより、欠品した付属品を補填する互換品を検出した場合は欠品表示せずにステップ＃５７に移行する。この時、互換品により補填されていることを示す表示を表示部３３により行ってもよい。
【０１０６】
尚、ステップ＃５４において、本体タグ１０１ａがないと判断した場合は本体も本体の互換品も存在しない。このため、ステップ＃７６では本体がないことを示す表示に加えて、本体及び互換品を特定する表示を行うと、補填する物品を容易に準備することができる。
【０１０７】
本実施形態によると、付属品６１〜６７の互換情報を本体タグ１０１ａ（第１無線タグ）に書き込むので、互換品により欠品が補充されている場合に異常のないことを容易に管理することができる。また、本体６０の互換情報を付属タグ１０１ｂ〜１０１ｈ（第２無線タグ）に書き込むので、本体６０の欠品時に補填する物品を容易に準備することができる。
【０１０８】
尚、本体タグ１０１ａの書込情報の員数を示す情報（「７」：図２３参照）から全物品数を検知し、読出しを行った無線タグ１０１の数と比較して、従来例のように欠品の有無だけを報知してもよい。これにより、第１実施形態よりも迅速に欠品を検知することができる。
【０１０９】
第１、第２実施形態において、本体６０と付属品６１〜６７に添付する無線タグ１０１ａ〜１０１ｈついて説明しているが、一組として取扱われる複数の物品について、任意の一の物品に添付するために本体タグ（第１無線タグ）を作成して他の物品に添付するために付属タグ（第２無線タグ）を作成してもよい。例えば、プレゼンテーション用の資料、サンプル、ＣＤ−ＲＯＭ、パーソナルコンピュータ等から成る一組の物品や、出張修理に持ち歩く複数の工具類から成る一組の物品等に用いることができる。また、輸送されるコンテナとその内容物の組合わせで利用することができる。
【０１１０】
尚、以上の説明では各種情報を無線タグのメモリに書き込んでいるが、メモリ容量を小さくするために各種情報をデータベース上に保持し、無線タグのメモリにはデータベースの情報を書き込んでもよい。
【図面の簡単な説明】
【０１１１】
【図１】は、本発明の第１実施形態の無線タグ作成装置の構成を示すブロック図である。
【図２】は、本発明の第１実施形態の無線タグ作成装置の制御部の構成を示すブロック図である。
【図３】は、無線タグを示す上面図及び下面図である。
【図４】は、無線タグを示す断面図である
【図５】は、無線タグ回路の構成を示すブロック図である。
【図６】は、本発明の第１実施形態の無線タグ作成装置の動作を示すフローチャートである。
【図７】は、本発明の第１実施形態の無線タグ作成装置の入力された印字情報を示す図である。
【図８】は、本発明の第１実施形態の無線タグ作成装置の入力された印字情報に基づいて作成される書込情報を示す図である。
【図９】は、本発明の第１実施形態の無線タグ作成装置により本体タグの印刷結果及び本体タグに書き込まれる書込情報を示す図である。
【図１０】は、本発明の第１実施形態の無線タグ作成装置により付属タグの印刷結果及び付属タグに書き込まれる書込情報を示す図である。
【図１１】は、本発明の第１実施形態の無線タグ作成装置により付属タグの印刷結果及び付属タグに書き込まれる書込情報を示す図である。
【図１２】は、本発明の第１実施形態の無線タグ作成装置により作成された無線タグを各物品に添付した状態を示す図である。
【図１３】は、本発明の第１実施形態の無線タグ作成装置により作成された無線タグにより物品を管理する物品管理装置を示す斜視図である。
【図１４】は、本発明の第１実施形態の無線タグ作成装置により作成された無線タグにより物品を管理する物品管理装置の構成を示すブロック図である。
【図１５】は、本発明の第１実施形態の無線タグ作成装置により作成された無線タグにより物品を管理する物品管理装置の動作を示すフローチャートである。
【図１６】は、本発明の第１実施形態の無線タグ作成装置により作成された無線タグにより物品を管理する物品管理装置の個別読出し処理の動作を示すフローチャートである。
【図１７】は、本発明の第１実施形態の無線タグ作成装置により作成された無線タグにより物品を管理する物品管理装置の表示部の表示を示す図である。
【図１８】は、本発明の第１実施形態の無線タグ作成装置により作成された無線タグにより物品を管理する物品管理装置の表示部の表示を示す図である。
【図１９】は、本発明の第１実施形態の無線タグ作成装置により作成された無線タグにより物品を管理する物品管理装置の表示部の表示を示す図である。
【図２０】は、本発明の第１実施形態の無線タグ作成装置により作成された無線タグにより物品を管理する物品管理装置の表示部の表示を示す図である。
【図２１】は、本発明の第１実施形態の無線タグ作成装置により作成された無線タグにより物品を管理する物品管理装置の表示部の表示を示す図である。
【図２２】は、本発明の第２実施形態の無線タグ作成装置の入力された印字情報を示す図である。
【図２３】は、本発明の第２実施形態の無線タグ作成装置により本体タグの印刷結果及び本体タグに書き込まれる書込情報を示す図である。
【図２４】は、本発明の第２実施形態の無線タグ作成装置により付属タグの印刷結果及び付属タグに書き込まれる書込情報を示す図である。
【図２５】は、本発明の第２実施形態の無線タグ作成装置により付属タグの印刷結果及び付属タグに書き込まれる書込情報を示す図である。
【符号の説明】
【０１１２】
１    無線タグ作成装置
２    制御回路
３    カートリッジ駆動回路
４、７  パルスモータ
５    印刷駆動回路
６    送出ローラ駆動回路
８    搬出口
９    高周波回路
１０    アンテナ
１１    信号処理回路
１２    ソレノイド
１３    カッタ
１４    搬送ガイド
１５    送出ローラ
１６    入力部
１８    インターフェース回路
２０    カートリッジ
２２    テープ
２４    サーマルヘッド
３１    物品管理装置
３２    操作部
３３    表示部
４０    制御部
５０    高周波部
６０    本体
６１〜６７  付属品
１０１    無線タグ
１０１ａ  本体タグ（第１無線タグ）
１０１ｂ〜１０１ｈ  付属タグ（第２無線タグ）
１０８    無線タグ回路
【図１】
2005215959.tif 000003
【図２】
2005215959.tif 000004
【図３】
2005215959.tif 000005
【図４】
2005215959.tif 000006
【図５】
2005215959.tif 000007
【図６】
2005215959.tif 000008
【図７】
2005215959.tif 000009
【図８】
2005215959.tif 000010
【図９】
2005215959.tif 000011
【図１０】
2005215959.tif 000012
【図１１】
2005215959.tif 000013
【図１２】
2005215959.tif 000014
【図１３】
2005215959.tif 000015
【図１４】
2005215959.tif 000016
【図１５】
2005215959.tif 000017
【図１６】
2005215959.tif 000018
【図１７】
2005215959.tif 000019
【図１８】
2005215959.tif 000020
【図１９】
2005215959.tif 000021
【図２０】
2005215959.tif 000022
【図２１】
2005215959.tif 000023
【図２２】
2005215959.tif 000024
【図２３】
2005215959.tif 000025
【図２４】
2005215959.tif 000026
【図２５】
2005215959.tif 000027